(57)【要約】【課題】主に水田に供給する水の量を容易に調節することができる水量調節装置を提供する。【解決手段】支持体２は、下側に通水穴４を形成した遮蔽板３と、遮蔽板３の幅方向両端から略Ｌ字状に内向きに設けられ、前方内面を係止面５Ａとする一対の係止部５、５とから構成してある。水量調節体７は、片側面が前記通水穴４を閉塞するための閉塞面８Ａとなっている調節板８、ヒンジ１１、１１を介して縦方向に傾動可能に設けた逆Ｌ字型のストッパー１０、ストッパー１０を係止面５Ａ方向に傾けるように付勢するばね１２、ストッパー１０を係止面５Ａから離間させ、さらに、調節板８を昇降させるためにストッパー１０に接続してある操作棒１３から構成してある。水量調節体７は、調節板８が支持体２内を滑合して昇降するように、閉塞面８Ａを遮蔽板３側に向けた状態で支持体２内に配設してある。【選択図】図１
2008113579.tif 000002
【特許請求の範囲】
【請求項１】
通水穴を形成した遮蔽板の幅方向両端に係止部を設けた支持体と、該支持体に昇降自在に設けられ、昇降することにより前記通水穴を開閉する水量調節体とからなり、該水量調節体は、前記通水穴を開閉する調節板と、該調節板に傾動可能に設けられ、傾斜して前記係止部に当接することにより調節板を所望の位置に固定するストッパーと、該ストッパーを係止部方向に付勢する弾性体と、該弾性体の付勢力に抗して前記ストッパーを前記係止部から離間させるための操作部とから構成してなる水量調節装置。
【請求項２】
前記遮蔽板には、前記通水穴の口縁に沿って弾性閉塞体を設けてあることを特徴とする請求項１記載の水量調節装置。
【請求項３】
前記係止部は、前記遮蔽板の両端に対向する状態で平面略Ｌ字状に突出形成してある請求項１記載の水量調節装置。
【請求項４】
前記係止部は、内面を波形に形成してあることを特徴とする請求項３記載の水量調節装置。
【請求項５】
前記調節板には、前記通水穴の口縁に圧接する弾性閉塞体を設けてあることを特徴とする請求項１記載の水量調節装置。
【請求項６】
前記ストッパーは、当接縁を軟質合成樹脂又はゴムで形成してあることを特徴とする請求項１記載の水量調節装置。
【請求項７】
前記弾性体は、ばね又はゴムであることを特徴とする請求項１記載の水量調節装置。
【発明の詳細な説明】
【技術分野】
【０００１】
本発明は、主に水田に供給する水の量を調節するための水量調節装置に関する。
【背景技術】
【０００２】
水田には稲の育成時期に応じた水量の管理が必要である。そこで、通水管の開口縁に弁座を取り付け、この弁座に当接する弾性板を一側面に沿設し、弁座の両側縁の略垂直方向に形成した案内縁部に係合させる係合縁を両側縁に屈曲形成した弁体を、案内縁部に沿って上下動させることにより通水管の開閉して、通水量の調節を行うようにした水田用排水弁がある。
【特許文献１】実公昭６０−１３８５３号公報
【発明の開示】
【発明が解決しようとする課題】
【０００３】
しかし、上述の水田用排水弁は、弾性板が係合縁を押圧することによって弾性板と係合縁の間に生じる摩擦力で弁体を保持してその位置を固定するものであり、通水管の開口度を調節するために弁体を上下動させるときにも常に摩擦力が働いていることから、上下動させるためには大きな力をかける必要があり、使い勝手がよくないという欠点がある。また、押圧することによって生じる摩擦力によって弁体の位置を固定しているため、長期間使用することにより係合縁が変形や磨耗して押圧する力が弱まり弁体の位置を保持することができなくなるという欠点もある。
【０００４】
本発明は上述した従来技術の欠点に鑑みなされたもので、細かい調節を容易に
行うことができるため通水量の管理が楽であるし、また、部材の磨耗がないので長期間使用することができる水量調節装置を提供することを目的とする。
【課題を解決するための手段】
【０００５】
上記課題を解決するために構成した本発明の手段は、通水穴を形成した遮蔽板の幅方向両端に係止部を設けた支持体と、該支持体に昇降自在に設けられ、昇降することにより前記通水穴を開閉する水量調節体とからなり、該水量調節体は、前記通水穴を開閉する調節板と、該調節板に傾動可能に設けられ、傾斜して前記係止部に当接することにより調節板を所望の位置に固定するストッパーと、該ストッパーを係止部方向に付勢する弾性体と、該弾性体の付勢力に抗して前記ストッパーを前記係止部から離間させるための操作部とからなる。
【０００６】
そして、前記遮蔽板には、前記通水穴の口縁に沿って弾性閉塞体を設けるとよい。
【０００７】
また、前記係止部は、前記遮蔽板の両端に対向する状態で平面略Ｌ字状に突出形成するとよい。
【０００８】
また、前記係止部は、前側内面を波形に形成するとよい。
【０００９】
また、前記調節板には、前記通水穴の口縁に圧接する弾性閉塞体を設けるとよい。
【００１０】
また、前記ストッパーは、当接縁を軟質合成樹脂又はゴムで形成するとよい。
【００１１】
さらに、前記弾性体は、ばね又はゴムにするとよい。
【発明の効果】
【００１２】
本発明は、上述の構成にすることにより以下の諸効果を奏する。
（１）水量調節体を昇降させることにより通水穴の開閉量を調整し、通水穴を流れる水の量を調節するようにしたから、細かい調節を行うことができる。
（２）通水穴の口縁に沿って弾性閉塞体を設けてあるから、弾性閉塞体と調節板の間に隙間が生じず、水漏れ等がなく確実に通水穴を流れる水の量を調節することができる。
（３）水量調節体の昇降は、傾いている操作部を垂直にして引き上げ、押し下げする操作のみで行うため水量調節作業を容易に行うことができる。
（４）水量調節体の昇降時にはストッパーは係止部に当接しておらず、水量調節体の位置を固定するときのみストッパーとして機能するようにしているから、昇降動作を僅かな力で行うことができる。
（５）係止面を波形に形成することにより、ストッパーが確実に係止部に引っ掛かって係止するようにしたから、通水中にストッパーが外れてしまうということがなく、確実に水量の調節を行うことができて、使用上の信頼性に優れている。
（６）調節板には、通水穴の口縁に圧接する弾性閉塞板を設けてあるから、水漏れ等がなく確実に通水穴を流れる水量を調節することができる。
（７）ストッパーの当接縁を軟質合成樹脂又はゴムで形成することにより、ストッパーが係止部に確実に係止するようにしたから、通水中にストッパーが外れてしまうということがなく、確実に水量の調節を行うことができる。
【発明を実施するための最良の形態】
【００１３】
以下、本発明の実施の形態を図面に基き説明する。図１乃至図８は第１の実施の形態を示す。図において、１は水量調節装置を示す。２は該水量調節装置１を構成する支持体を示し、該支持体２は平面略長方形の板体からなる遮蔽板３と、該遮蔽板３の下側に形成した円形の通水穴４と、遮蔽板３の幅方向両端から略Ｌ字状に内向きに設けられ、前方内面を係止面５Ａとする一対の係止部５、５とから構成することにより、上端、下端及び前方が開放した形態に形成してある。なお、図５に示すように、後述する調節板８が接する遮蔽板３の内面側に通水穴４の口縁に沿ってゴム等からなる弾性閉塞体６を貼着してもよい。弾性閉塞体６を設けることにより、該弾性閉塞体６が調節板８に圧接して水漏れを防ぐことができる。また、通水穴４の形状は円形に限られず、四角形などでもよく、四角形にすることによってより正確に通水量の調節を行うことができる。
【００１４】
７は前記支持体２内に昇降可能に配設する水量調節体を示す。８は該水量調節体７を構成する調節板で、該調節板８は略正方形の板体からなり、片側面が前記通水穴４を閉塞するための閉塞面８Ａとなっており、該閉塞面８Ａには略全面にゴム等からなる弾性閉塞板９が貼着してある。該弾性閉塞板９は通水穴４の口縁に圧接して隙間が生じるのを防ぎ、水漏れ等することなく確実に通水量を調節するためのものである。なお、該調節板８に設ける弾性閉塞板９と前述の遮蔽板３に設ける弾性閉塞体６は、どちらか一方を設けてあればよい。
【００１５】
１０は該調節板８の閉塞面８Ａとは反対側の前面８Ｂの中央にヒンジ１１、１１を介して縦方向に傾動可能に設けた逆Ｌ字型のストッパーを示す。該ストッパー１０は前記係止面５Ａ方向に傾いて先端の当接縁１０Ａが該係止面５Ａに係止することにより、調節板８が落下しないようにその位置を固定するためのものである。１２は該ストッパー１０の当接縁１０Ａを係止部５Ａに確実に係止させるために、ストッパー１０を係止面５Ａ方向に傾けるように付勢する引っ張りばねからなるばねであり、該ばね１２は係止面５Ａ方向に力が働くように張力を付与した状態でストッパー１０と調節板８との間に張設してある。なお、ストッパー１０を係止面５Ａ方向に付勢することができるものであれば、ばね１２に替えてゴム等の弾性体を用いてもよい。
【００１６】
１３は操作棒を示す。該操作棒１３は前記ストッパー１０をばね１２が付勢する方向とは逆の方向、即ち前記係止面５Ａ方向から逆方向に手で操作することによりストッパー１０の当接縁１０Ａを係止面５Ａから離間させ、さらに、調節板８を昇降させるために該ストッパー１０に接続してある。１４は手で握ることによって、該操作棒１３の操作を容易に行うことができるように操作棒１３の先端に設けた取っ手である。
【００１７】
上述の構成からなる水量調節体７は、調節板８が支持体２の遮蔽板３及び一対の係止部５、５間を滑合して昇降するように閉塞面８Ａを通水穴４のある遮蔽板３側に向けて支持体２内に配設してある。そして、支持体２及び水量調節体７からなる水量調節装置１は水田と水田の間の通水溝に嵌合することにより設けてある。
【００１８】
本実施の形態は上述の構成からなっており、次にその動作について説明する。
図４は水量調節装置１の動作の流れを示す側面図である。図４（ａ）は、通水穴４が水量調節体７によって完全に閉塞されている状態を示す。
【００１９】
通水穴４を開口して水を通し、水田への通水量を調節しようとする場合は、まず図４（ｂ）に示すように取っ手１４を手で握り、ばね１２の力によって係止面５Ａ方向に傾いている操作棒１３を係止面５Ａ方向とは逆方向に押動して鉛直状態に起こす。これにより、該操作棒１３が接続してあるストッパー１０も鉛直状態に起き上がり、当接縁１０Ａが係止面５Ａから離間する。
【００２０】
次に、図４（ｃ）に示すように、取っ手１４を手で掴んで引き上げることにより、ストッパー１０及びヒンジ部１１を介して接続してある調節板８が持ち上げられ、通水穴４が開口する。
【００２１】
そして、通水穴４の開口量を決定し、水量調節体７の位置を固定したい場合は図４（ｄ）に示すように、取っ手１４を掴んで操作棒１３を係止面５Ａ方向に傾ける。これにより、該操作棒１３に接続してあるストッパー１０も係止面５Ａ方向に傾いて、該ストッパー１０の当接縁１０Ａが係止面５Ａに当接する。
【００２２】
当接した後は、ばね１２がストッパー１０を係止面５Ａ方向に傾くように常に付勢しているため、その付勢力によって当接縁１０Ａが係止面５Ａ方向に押圧されて係合して、ストッパー１０の位置を固定することができる。かくして、水量調節体７の位置も固定される。また、ばね１２に付勢されて当接縁１０Ａが係止面５Ａを押圧することにより、同時に調節板８が遮蔽板３方向に押圧されるため、閉塞面８Ａに設けてある弾性閉塞板９が通水穴４を確実に閉塞し、水漏れ等することなく通水穴４を流れる水の量を調節することができる。
【００２３】
図６及び図７は本実施の形態の第１の変形例を示す。１５は平板状のストッパーを示し、該ストッパー１５は前記調節板８の前面８Ｂの中央にヒンジ１１、１１を介して縦方向に傾動可能になるように設けてある。該ストッパー１５は前記係止面５Ａ方向に傾いて先端である当接縁１５Ａが該係止面５Ａに係止することにより、調節板８は落下することなく、その位置を固定することができる。そして、該ストッパー１５の当接縁１５Ａが係止面５Ａに確実に係止するようにストッパー１５を係止面５Ａ方向に傾けるように付勢するばね１２は、係止面５Ａ方向にばね力が働くように張力を付与した状態でストッパー１５と調節板８の間に張設してある。
【００２４】
第１の変形例は上述の構成からなり、ストッパー１５は平板状に形成しても同じ役割を果たすことができる。また、平板状であるため、本発明に係る製品を生産する場合に形成が容易であり、生産期間の短縮、コストの削減も図ることができる。
【００２５】
図８は本実施の形態の第２の変形例を示す。ばね１６は、図に示すようにストッパー１０と調節板８の間に挟まれるように設けてある。ばね１６はストッパー１０を係止面５Ａ方向に傾けるように付勢するためのものであるから、この場合は、引っ張りばねではなく圧縮ばねを設けることになる。
【００２６】
図９は本発明の第２の実施の形態を示す。なお、本実施の形態及び後述する他の実施の形態において、第１の実施の形態の構成要素と同一の構成要素には同一の符号を付して援用し、その説明を省略する。図において、２１は支持体を示し、該支持体２１は遮蔽板３と、該遮蔽板３の幅方向両端に略Ｌ字状に設けた一対の係止部２２、２２とから構成し、各係止部２２の前側内面は頂部と谷部が交互に連続する波形係止面２２Ａに形成してある。
【００２７】
本実施の形態は上述の構成からなっており、本実施の形態によれば、係止部２２の係止面２２Ａを波形に形成したことにより、ストッパー１０の当接縁１０Ａが該係止面２２Ａに引っ掛かって、より確実に係止して調節板８の位置を固定することができる。
【００２８】
図１０は本発明の第３の実施の形態を示す。図において、３１は当接縁３１Ａを軟質合成樹脂又はゴムで形成したストッパーであり、該ストッパー３１は前記調節板８の中央にヒンジ１１、１１を介して縦方向に傾動可能に設けてある。
【００２９】
上述の構成からなる本実施の形態によれば、ストッパー３１の当接縁３１Ａを軟質合成樹脂又はゴムで形成することにより、当接縁３１Ａが前記係止面５Ａに更に確実に係止する結果、水量調節体７の位置を固定することができる。
【００３０】
なお、本発明の用途は水田への通水量を調節する場合に限られず、水路の通水量を調節する場合などにも用いることができる。
【図面の簡単な説明】
【００３１】
【図１】図１乃至図８は本発明の第１の実施の形態に係り、図１は水量調節装置の外観斜視図である。
【図２】水量調節装置の背面を示す外観斜視図である。
【図３】水量調節体の外観斜視図である。
【図４】水量調節装置の動作状態を示す説明図である。
【図５】第１の変形例に係る、支持体の外観斜視図である。
【図６】図６及び図７は第２の変形例に係り、図６は水量調節装置の正面図である。
【図７】水量調節装置の側面図である。
【図８】第３の変形例に係る、水量調節装置の一部を破断した側面図である。
【図９】第２の実施の形態に係る、水量調節装置の縦断面図である。
【図１０】第３の実施の形態に係る、先端を軟質合成樹脂又はゴムで形成したストッパーの外観斜視図である。
【符号の説明】
【００３２】
１                水量調節装置
２、２１          支持体
３                遮蔽板  
４                通水穴
５、２２          係止部
６                弾性閉塞体
７                水量調節体
８                調節板
９                弾性閉塞板
１０、１５、３１  ストッパー
１２、１６        ばね
１３              操作棒
２２Ａ            波形係止面
３１Ａ            当接縁
【図１】
2008113579.tif 000003
【図２】
2008113579.tif 000004
【図３】
2008113579.tif 000005
【図４】
2008113579.tif 000006
【図５】
2008113579.tif 000007
【図６】
2008113579.tif 000008
【図７】
2008113579.tif 000009
【図８】
2008113579.tif 000010
【図９】
2008113579.tif 000011
【図１０】
2008113579.tif 000012